(57)【要約】 【課題】  ユーザが予め定める通信端末装置に容易に着信動作を行わせることができ、比較的低コストで構築することができる通信システムを提供する。【解決手段】  ＰＳＴＮ４５を介して到来するアナログＣＩ信号４６は、ゲートウェイ装置４２が検出し、検出したアナログＣＩ信号はＨＰＮＡ−ＣＩ信号４７に変換された後、ＨＰＮＡ回線４４を介して予め定めるＨＰＮＡ電話機４３に送信する。ＨＰＮＡ回線４４を介して送信されたＨＰＮＡ−ＣＩ信号４７を受信したＨＰＮＡ電話機４３は、受信したＨＰＮＡ−ＣＩ信号４７を検出する。着信動作切換え部が、検出されたＨＰＮＡ−ＣＩ信号４７に基づいて、予め定める着信動作の実行が可能なアクティブ状態に切換えたときは、着信動作を実行し、予め定める着信動作の実行が不可能な非アクティブ状態に切換えたときは、着信動作を実行しないようにする。【選択図】      図１
2005175696.tif 000002
【特許請求の範囲】
【請求項１】
第１の通信回線網に接続される通信端末制御装置と、第２の通信回線網を介して通信端末制御装置と通信可能に接続される複数の通信端末装置とを含む通信システムであって、
前記通信端末制御装置は、
第１の通信回線網を介して到来する予め定める着信信号を受信し、受信した着信信号を検出する着信信号検出手段と、
検出した着信信号を予め定める信号に変換する信号変換手段と、
変換した信号を第２の通信回線網を介して予め定める通信端末装置に送信する送信手段とを有し、
前記通信端末装置は、
第２の通信回線網を介して通信端末制御装置から送信される予め定める信号を受信し、
受信した信号を検出する信号検出手段と、
検出した信号に基づいて、予め定める着信動作の実行が可能なアクティブ状態と、予め定める着信動作の実行が不可能な非アクティブ状態とに切換え可能な着信動作切換え手段とを有することを特徴とする通信システム。
【請求項２】
前記通信端末制御装置は、
通信端末装置と、通信端末装置を識別するための識別情報とを関連付けた装置識別テーブルを記憶する装置識別テーブル記憶手段と、
第１の通信回線網を介して着信信号とともに到来する予め定める通信端末装置の識別情報を、前記装置識別テーブル記憶手段に記憶される装置識別テーブルに基づいて検出する識別情報検出手段とをさらに有し、
検出された識別情報に基づいて予め定める通信端末装置に着信信号を送信することを特徴とする請求項１記載の通信システム。
【請求項３】
前記通信端末制御装置は、前記識別情報検出手段によって検出された識別情報に基づいて、予め定める通信端末装置に着信動作を実行させるか否かを設定可能な着信動作設定手段を有することを特徴とする請求項２記載の通信システム。
【請求項４】
前記着信動作設定手段を用いて、第２の通信回線網を介して接続するすべての通信端末装置が着信動作を実行するように設定することを特徴とする請求項３記載の通信システム。
【請求項５】
前記着信動作設定手段を用いて、第２の通信回線網を介して接続する予め定める通信端末装置が着信動作を実行するように設定することを特徴とする請求項３記載の通信システム。
【請求項６】
前記通信端末制御装置は、
予め定める電話番号情報と、予め定める電話番号情報を含む着信信号の着信に応答して着信動作を行う通信端末装置とを関連付けた着信動作情報テーブルを記憶する着信動作情報テーブル記憶手段と、
第１の通信回線網を介して着信信号とともに到来する電話番号情報を、前記着信動作情報テーブル記憶手段に記憶される着信動作情報テーブルに基づいて検出する電話番号情報検出手段とをさらに有し、
前記着信動作情報テーブルに基づいて、検出された電話番号情報を含む着信信号の着信に応答して着信動作を行う予め定める通信端末装置に着信信号を送信することを特徴とする請求項１記載の通信システム。
【請求項７】
前記着信動作情報テーブル記憶手段に記憶される前記着信動作情報テーブルは、書換え可能であることを特徴とする請求項６記載の通信システム。
【請求項８】
前記第１の通信回線網は公衆電話回線網によって構成され、第２の通信回線網はホームピーエヌエーを用いた通信回線網によって構成されることを特徴とする請求項１記載の通信システム。
【発明の詳細な説明】
【技術分野】
【０００１】
本発明は、第１の通信回線網に接続される通信端末制御装置と、第２の通信回線網を介して通信端末制御装置と通信可能に接続される複数の通信端末装置とを含む通信システムに関する。
【背景技術】
【０００２】
図７は、従来技術の通信システム１の構成を簡略化して示す図である。なお、図７に示す破線は、アナログ音声信号７、ＡＤＳＬ（Asymmetric Digital Subscriber Line）信号８およびホームピーエヌエー（Home Phoneline Networking Alliance；略称：ＨＰＮＡ）信号９である。アナログ音声信号７およびＡＤＳＬ信号８は、公衆電話回線網（Public
Switched Telephone Network；略称：ＰＳＴＮ）を介して伝送される。ＨＰＮＡ信号９は、ＨＰＮＡを用いて構築されるＬＡＮ（Local Area Network）回線（以下、単に「ＨＰＮＡ回線」と表記する場合がある）４を介して伝送される。
【０００３】
通信システム１は、１つのゲートウェイ装置２と、複数の、ここでは３つの、ＨＰＮＡを用いた電話機（以下、単に「ＨＰＮＡ電話機」と表記する場合がある）３とを含んで構成される。
【０００４】
通信システム１において、複数のＨＰＮＡ電話機３は、ＨＰＮＡ回線４を介して相互に通信可能に構成され、ゲートウェイ装置２を介して、ＰＳＴＮ、ケーブルテレビ回線および光ファイバ回線などのＷＡＮ（Wide Area Network）回線５に接続し、インターネットなどのネットワークと通信可能に構成される。アナログ音声信号７およびＡＤＳＬ信号８は、ＰＳＴＮに接続される電話回線ケーブルを介して伝送される。ＨＰＮＡ信号９は、ゲートウェイ装置２を介してＰＳＴＮに接続される電話回線ケーブルを介して伝送される。
【０００５】
ゲートウェイ装置２は、ＰＡＴＮを介して戸外の電話局の交換機に接続される。アナログ音声信号７は、図７に示すように、各ＨＰＮＡ電話機３に入力される。ＡＤＳＬ信号８は、図７に示すように、ゲートウェイ装置２に入力する。ＡＤＳＬ信号８は、ゲートウェイ装置２によってプロトコル変換処理が施され、ＨＰＮＡ信号９に変換される。ＨＰＮＡ信号９は、各ＨＰＮＡ電話機３に入力する。
【０００６】
図８は、アナログ音声信号７、ＡＤＳＬ信号８およびＨＰＮＡ信号９の周波数帯域を示すグラフである。図８において、横軸は周波数を表し、縦軸はアナログ音声信号７、ＡＤＳＬ信号８およびＨＰＮＡ信号９の出力を表す。アナログ音声信号７の周波数帯域Ｆ１は、０ＫＨｚ以上４ＫＨｚ未満であり、ＡＤＳＬ信号８の周波数帯域Ｆ２は、４ＫＨｚ以上１ＭＨｚ未満であり、ＨＰＮＡ信号９の周波数帯域Ｆ３は、２ＭＨｚ以上１０ＭＨｚ未満である。
【０００７】
ＰＳＴＮを介して伝送されるアナログ音声信号７とＡＤＳＬ信号８とは、周波数帯域で分離されている。アナログ音声信号７とＡＤＳＬ信号８とが周波数帯域で分離されているとは、アナログ音声信号７が伝送される周波数帯域と、ＡＤＳＬ信号８が伝送される周波数帯域とが異なることを意味する。たとえば、ＡＤＳＬ信号８を伝送するときは、図８に示すように、アナログ音声信号７の周波数帯域Ｆ１よりも高い周波数帯域である、ＡＤＳＬ信号８の周波数帯域Ｆ２を用いる。
【０００８】
また、ＰＳＴＮを介して伝送されるアナログ音声信号７と、ＨＰＮＡ回線４を介して伝送されるＨＰＮＡ信号９とは、周波数帯域で分離されている。アナログ音声信号７とＨＰＮＡ信号９とが周波数帯域で分離されているとは、アナログ音声信号７が伝送される周波数帯域と、ＨＰＮＡ信号９が伝送される周波数帯域とが異なることを意味する。たとえば、ＨＰＮＡ信号９を伝送するときは、図８に示すように、アナログ音声信号７の周波数帯域Ｆ１よりも高い周波数帯域である、ＨＰＮＡ信号９の周波数帯域Ｆ３を用いる。
【０００９】
図９は、通信システム１におけるゲートウェイ装置２の構成を簡略化して示すブロック図である。ゲートウェイ装置２は、ＷＡＮ回線側インターフェース部１１、信号処理部１２およびＨＰＮＡ回線側インターフェース部１３を含んで構成される。ＷＡＮ回線側インターフェース部１１は、ＰＳＴＮ、ケーブルテレビ回線および光ファイバ回線などによって実現されるＷＡＮ回線５との接続部である。信号処理部１２は、予め定める信号のみを通過させるフィルタリング処理などを行う。ＨＰＮＡ回線側インターフェース部１３は、ＨＰＮＡ回線４との接続部である。
【００１０】
図１０は、通信システム１におけるＨＰＮＡ電話機３のＣＩ検出の構成を簡略化して示すブロック図である。ＨＰＮＡ電話機３は、モジュラジャック１７を介して、ＨＰＮＡ回線４に接続される。ＨＰＮＡ電話機３は、ＨＰＮＡ−ＣＩ検出部１４、アナログＣＩ検出部１５および着信制御部１６を含んで構成される。ＨＰＮＡ−ＣＩ検出部１４は、ＨＰＮＡ信号８による通話要求の着信信号を検出する。アナログＣＩ検出部１５は、アナログ信号による通話要求の着信信号を検出する。ＨＰＮＡ−ＣＩ検出部１４およびアナログＣＩ検出部１５によって検出された各着信信号は、着信制御部１６へ送信される。着信制御部１６は、ＨＰＮＡ−ＣＩ検出部１４およびアナログＣＩ検出部１５から送信されてきた各着信信号に基づいて、予め定める着信動作を行う。
【００１１】
図１１は、ＨＰＮＡ−ＣＩ検出部１４の構成を簡略的に示すブロック図である。ＨＰＮＡ−ＣＩ検出部１４は、アナログフロントエンド（略称：ＡＦＥ）部２１、信号処理部２２およびＨＰＮＡ−ＣＩ検出処理部２３を含んで構成される。
【００１２】
デジタル信号であるＨＰＮＡ信号を電話線ケーブルで伝送するために、５．５ＭＨｚ以上９．５ＭＨｚ未満の周波数帯域に変調したアナログ信号（以下、「ＨＰＮＡ変調信号」と表記する場合がある）は、ＡＦＥ部２１に入力される。ＡＦＥ部２１では、入力されたアナログ信号に対して、アナログ／デジタル（略称：Ａ／Ｄ）変換処理を施し、アナログ信号をデジタル信号に変換する。変換されたデジタル信号は、信号処理部２２に送信される。信号処理部２２では、ＡＦＥ部２１から送信されるデジタル信号に対して、ＨＰＮＡのヘッダ、誤り訂正および暗号解析などの信号処理を施す。信号処理が施されたデジタル信号は、ＨＰＮＡ−ＣＩ検出処理部２３に送信される。ＨＰＮＡ−ＣＩ検出処理部２３では、信号処理部２２から送信されるデジタル信号に基づいて、ＨＰＮＡ−ＣＩ信号の検出処理を行う。
【００１３】
図１２は、アナログＣＩ検出部１５の構成を簡略化して示すブロック図である。アナログＣＩ検出部１５は、ＣＩ信号入力部３１、フィルタ処理部３２、アナログ／デジタル（略称：Ａ／Ｄ）変換処理部３３、アナログＣＩ検出処理部３４および音声信号処理部３５を含んで構成される。ＣＩ信号入力部３１は、ＰＳＴＮ６と接続されている。
【００１４】
アナログＣＩ信号は、ＨＰＮＡ電話機３に通話要求の着信があることを伝達するアナログ信号である。通話要求の着信があると、ＣＩ信号入力部３１によってアナログＣＩ信号が抽出される。抽出されたアナログＣＩ信号は、フィルタ処理部３２によって平滑化され、Ａ／Ｄ変換処理部３３に送信される。平滑化されたアナログＣＩ信号は、Ａ／Ｄ変換処理部３３によって、デジタル信号に変換され、アナログＣＩ検出処理部３４に送信される。
【００１５】
アナログＣＩ検出処理部３４では、Ａ／Ｄ変換処理部３３から送信されるデジタル信号に基づいて、アナログＣＩ信号の検出を行う。音声信号処理部３５は、ＰＳＴＮ６を介して伝送される音声信号を受信し、音声信号をスピーカによって音響化させる処理と、音響をマイクロフォンで受けて電気信号に変換させる処理とを行う。
【発明の開示】
【発明が解決しようとする課題】
【００１６】
前述のように従来技術の通信システム１において、ＨＰＮＡ電話機３の着信は、ＰＳＴＮを用いて伝送されるアナログ信号を着信（以下、「アナログ着信」と表記する場合がある）する場合と、ＨＰＮＡ回線を用いて伝送されるＨＰＮＡ信号を着信（以下、「ＨＰＮＡ着信」と表記する場合がある）する場合とがある。したがって、ＨＰＮＡ電話機３の通話は、ＰＳＴＮを用いたアナログ回線通話と、ＨＰＮＡ回線を用いたＨＰＮＡ回線通話とがある。
【００１７】
従来技術の通信システム１におけるＨＰＮＡ着信では、ＨＰＮＡ回線４に接続される複数のＨＰＮＡ電話機３のうちいずれの電話機の着信動作を行うのかを示す情報が、ＨＰＮＡ−ＣＩ信号の中に付加されて、ＨＰＮＡ回線４を介してゲートウェイ装置２からＨＰＮＡ電話機３に伝送される。
【００１８】
通信システム１におけるアナログ着信では、アナログ着信信号が、電話局からＨＰＮＡ電話機３に伝送されるが、ＨＰＮＡ回線４に接続される複数のＨＰＮＡ電話機３のうちいずれの電話機の着信動作を行うのかを示す情報は、前記アナログ着信信号には付加されていない。また、同一電話回線ケーブルに複数のＨＰＮＡ電話機３が接続されているので、各ＨＰＮＡ電話機３が個々にアナログ着信の検出を行い、通話要求の着信を検出した場合には、各ＨＰＮＡ電話機３が同時に着信音の出力動作を行う。
【００１９】
したがって、ＨＰＮＡ電話機３が建物内の複数の室内に設置されている場合は、着信音が鳴ったときに、各ＨＰＮＡ電話機３が設置される室内にいる利用者が同時にＨＰＮＡ電話機３の受話器をはずしてオフフック状態にすると、発信者および受信者が誰であるのかを識別することが困難になり、混乱を招いてしまうという問題がある。また、ＨＰＮＡ回線に接続されるすべてのＨＰＮＡ電話機３は、アナログＣＩ検出部１５を備えているので、通信システム１全体のコストが増大するという問題がある。
【００２０】
本発明の目的は、ユーザが予め定める通信端末装置に容易に着信動作を行わせることができ、比較的低コストで構築することができる通信システムを提供することである。
【課題を解決するための手段】
【００２１】
本発明は、第１の通信回線網に接続される通信端末制御装置と、第２の通信回線網を介して通信端末制御装置と通信可能に接続される複数の通信端末装置とを含む通信システムであって、
前記通信端末制御装置は、
第１の通信回線網を介して到来する予め定める着信信号を受信し、受信した着信信号を検出する着信信号検出手段と、
検出した着信信号を予め定める信号に変換する信号変換手段と、
変換した信号を第２の通信回線網を介して予め定める通信端末装置に送信する送信手段とを有し、
前記通信端末装置は、
第２の通信回線網を介して通信端末制御装置から送信される予め定める信号を受信し、
受信した信号を検出する信号検出手段と、
検出した信号に基づいて、予め定める着信動作の実行が可能なアクティブ状態と、予め定める着信動作の実行が不可能な非アクティブ状態とに切換え可能な着信動作切換え手段とを有することを特徴とする通信システムである。
【００２２】
また本発明は、前記通信端末制御装置は、
通信端末装置と、通信端末装置を識別するための識別情報とを関連付けた装置識別テーブルを記憶する装置識別テーブル記憶手段と、
第１の通信回線網を介して着信信号とともに到来する予め定める通信端末装置の識別情報を、前記装置識別テーブル記憶手段に記憶される装置識別テーブルに基づいて検出する識別情報検出手段とをさらに有し、
検出された識別情報に基づいて予め定める通信端末装置に着信信号を送信することを特徴とする。
【００２３】
さらに本発明は、前記通信端末制御装置は、前記識別情報検出手段によって検出された識別情報に基づいて、予め定める通信端末装置に着信動作を実行させるか否かを設定可能な着信動作設定手段を有することを特徴とする。
【００２４】
さらに本発明は、前記着信動作設定手段を用いて、第２の通信回線網を介して接続するすべての通信端末装置が着信動作を実行するように設定することを特徴とする。
【００２５】
さらに本発明は、前記着信動作設定手段を用いて、第２の通信回線網を介して接続する予め定める通信端末装置が着信動作を実行するように設定することを特徴とする。
【００２６】
さらに本発明は、前記通信端末制御装置は、
予め定める電話番号情報と、予め定める電話番号情報を含む着信信号の着信に応答して着信動作を行う通信端末装置とを関連付けた着信動作情報テーブルを記憶する着信動作情報テーブル記憶手段と、
第１の通信回線網を介して着信信号とともに到来する電話番号情報を、前記着信動作情報テーブル記憶手段に記憶される着信動作情報テーブルに基づいて検出する電話番号情報検出手段とをさらに有し、
前記着信動作情報テーブルに基づいて、検出された電話番号情報を含む着信信号の着信に応答して着信動作を行う予め定める通信端末装置に着信信号を送信することを特徴とする。
【００２７】
さらに本発明は、前記着信動作情報テーブル記憶手段に記憶される前記着信動作情報テーブルは、書換え可能であることを特徴とする。
【００２８】
さらに本発明は、前記第１の通信回線網は公衆電話回線網によって構成され、第２の通信回線網はホームピーエヌエーを用いた通信回線網によって構成されることを特徴とする。
【発明の効果】
【００２９】
本発明によれば、通信端末制御装置は第１の通信回線網に接続し、複数の通信端末装置は第２の通信回線網を介して通信端末制御装置と通信可能に接続している。第１の通信回線網を介して予め定める着信信号が、通信端末制御装置に到来したときは、着信信号検出手段が、前記着信信号を受信し、受信した着信信号を検出する。
【００３０】
着信信号検出手段によって検出された着信信号は、信号変換手段によって、予め定める信号に変換される。変換された信号は、送信手段によって、第２の通信回線網を介して予め定める通信端末装置に送信される。
【００３１】
通信端末装置では、信号検出手段が、第２の通信回線網を介して通信端末制御装置から送信される予め定める信号を受信し、受信した信号を検出する。着信動作切換え手段は、信号検出手段によって検出された信号に基づいて、予め定める着信動作の実行が可能なアクティブ状態と、予め定める着信動作の実行が不可能な非アクティブ状態とに切換える。
【００３２】
前述のように、第１の通信回線網を介して到来する予め定める着信信号は、通信端末制御装置が検出し、検出した信号は予め定める信号に変換された後、第２の通信回線網を介して予め定める通信端末装置に送信する。第２の通信回線網を介して送信された信号を受信した通信端末装置は、受信した信号を検出した後、検出された信号に基づいて予め定める着信動作の実行が可能なアクティブ状態に切換えたときは、着信動作を実行し、予め定める着信動作の実行が不可能な非アクティブ状態に切換えたときは、着信動作を実行しないようにする。
【００３３】
このように、通信端末制御装置が、予め定める通信端末装置に着信動作を実行させることができるので、従来技術のように、発信者および受信者の識別が困難になり、混乱を招くことを防ぐことができ、利便性が向上する。また、第１の通信回線網を介して到来する予め定める着信信号を検出する着信信号検出手段を通信端末制御装置に備えることによって、従来技術のように通信端末制御装置に接続する複数の通信端末装置に前記着信信号検出手段を備える場合よりも、比較的低コストで通信システムを構築することができる。
【００３４】
また本発明によれば、通信端末制御装置の装置識別テーブル記憶手段には、通信端末装置を識別するための識別情報とを関連付けた装置識別テーブルが記憶される。識別情報検出手段は、第１の通信回線網を介して着信信号とともに到来する予め定める通信端末装置の識別情報を、前記装置識別テーブル記憶手段に記憶される装置識別テーブルに基づいて検出する。通信端末制御装置は、識別情報検出手段によって検出された識別情報に基づいて予め定める通信端末装置に着信信号を送信する。
【００３５】
前述のように、第１の通信回線網を介して着信信号とともに到来する予め定める通信端末装置の識別情報を、前記装置識別テーブル記憶手段に記憶される装置識別テーブルに基づいて検出し、検出された識別情報に基づいて予め定める通信端末装置に着信信号を送信する。したがって、通信端末制御装置は、予め定める必要最小限の通信端末装置のみに、着信動作を容易に実行させることができるので、従来技術のように、発信者および受信者の識別が困難になり、混乱を招くことを防ぐことができ、利便性が向上する。
【００３６】
また本発明によれば、通信端末制御装置の着信動作設定手段は、識別情報検出手段によって検出された識別情報に基づいて、予め定める通信端末装置に着信動作を実行させるか否かを設定することができる。したがって、予め定める必要最小限の通信端末装置のみに、着信動作を容易に実行させることができ、従来技術のように、発信者および受信者の識別が困難になり、混乱を招くことを防ぐことができる。これによって、利便性が向上する。
【００３７】
また本発明によれば、着信動作設定手段を用いて、第２の通信回線網を介して接続するすべての通信端末装置が着信動作を実行するように設定する。前述のように設定することによって、第２の通信回線網を介して複数の通信端末装置を設置したとき、利用者は複数の通信端末装置のうちいずれの通信端末装置でも、相手先からの通話要求の着信信号を受信することができる。これによって、たとえば早急に相手先からの通話要求の着信信号を受信する必要がある場合でも、利用者がいる場所から最も近い場所に設置されている通信端末装置で、相手先からの通話要求の着信信号を即座に受信することができる。
【００３８】
また本発明によれば、着信動作設定手段を用いて、第２の通信回線網を介して接続する予め定める通信端末装置が着信動作を実行するように設定することができる。
【００３９】
したがって、予め定める必要最小限の通信端末装置のみに、着信動作を容易に実行させることができ、従来技術のように、発信者および受信者の識別が困難になり、混乱を招くことを防ぐことができる。これによって、利便性が向上する。
【００４０】
また本発明によれば、通信端末制御装置の着信動作情報テーブル記憶手段には、予め定める電話番号情報と、予め定める電話番号情報を含む着信信号の着信に応答して着信動作を行う通信端末装置とを関連付けた着信動作情報テーブルが記憶される。電話番号情報検出手段は、第１の通信回線網を介して着信信号とともに到来する電話番号情報を、前記着信動作情報テーブル記憶手段に記憶される着信動作情報テーブルに基づいて検出する。
【００４１】
通信端末制御装置は、着信動作情報テーブルに基づいて、検出された電話番号情報を含む着信信号の着信に応答して着信動作を行う予め定める通信端末装置に着信信号を送信する。
【００４２】
したがって、予め定める電話番号情報が割当てられた電話機から通話要求の着信信号が送信されてきた場合、通信端末制御装置は、着信動作情報テーブルを参照して、前記電話番号情報に対応する通信端末装置に対して着信信号を送信し、送信先の通信端末装置に、容易に着信動作を実行させることができ、従来技術のように、発信者および受信者の識別が困難になり、混乱を招くことを防ぐことができる。これによって、利便性が向上する。
【００４３】
また本発明によれば、ユーザは、着信動作情報テーブル記憶手段に記憶される前記着信動作情報テーブルを書換えることができる。したがって、予め定める電話番号情報を含む着信信号の着信に応答して着信動作を行う通信端末装置を変更する場合でも、ユーザが着信動作情報テーブル記憶手段に記憶される前記着信動作情報テーブルを書換えるだけで、容易に前記着信動作を行う通信端末装置を変更することができる。これによって、利便性が向上する。
【００４４】
また本発明によれば、第１の通信回線網として公衆電話回線網が用いられる。公衆交換電話網は、すでに広く普及しており、用いるにあたって特別の工事を必要としないので、通信システムにおけるコストの増大を防ぐことができる。また、第２の通信回線網としてホームピーエヌエーを用いた通信回線網が用いられる。ホームピーエヌエーを用いた通信回線網は、建物内に配設された既存の公衆電話回線を用いて低コストでローカルエリアネットワークを構築することができるので、通信システムにおけるコストを抑えることができる。
【発明を実施するための最良の形態】
【００４５】
図１は、本発明の実施の一形態である通信システム４１の構成を簡略化して示す図である。なお、図１に示す破線は、公衆電話回線網（Public Switched Telephone Network；略称：ＰＳＴＮ）４５を介して到来するアナログ着信動作信号（以下、単に「アナログＣＩ信号」と表記する場合がある）４６およびホームピーエヌエー（Home Phoneline
Networking Alliance；略称：ＨＰＮＡ）を用いて構築されるＬＡＮ（Local Area
Network）回線（以下、単に「ＨＰＮＡ回線」と表記する場合がある）４４を介して到来するＨＰＮＡ着信動作信号（以下、単に「ＨＰＮＡ−ＣＩ信号」と表記する場合がある）４７を示している。
【００４６】
ここで、ＨＰＮＡは、建物内に配設された既存のＰＳＴＮを利用して、比較的低コストでネットワークを構築し、音声とデータとを多重伝送するための規格である。
【００４７】
通信システム４１は、１つのゲートウェイ装置４２と、複数の、本実施形態では３つの、ＨＰＮＡ（Home Phoneline Networking Alliance）を用いた電話機（以下、単に「ＨＰＮＡ電話機」と表記する場合がある）４３ａ，４３ｂ，４３ｃとを含んで構成される。以下、ＨＰＮＡ電話機４３ａを「第１ＨＰＮＡ電話機４３ａ」、ＨＰＮＡ電話機４３ｂを「第２ＨＰＮＡ電話機４３ｂ」、ＨＰＮＡ電話機４３ｃを「第３ＨＰＮＡ電話機４３ｃ」と表記する。ただし、不特定のＨＰＮＡ電話機を示す場合、「ＨＰＮＡ電話機４３」のように、参照符号において添え字「ａ」、「ｂ」および「ｃ」を省略することがある。
【００４８】
本実施形態において、ゲートウェイ装置４２は、プロトコル変換など外部ネットワークとＨＰＮＡを用いたホームネットワークとの通信に関する制御を行う通信端末制御装置であり、ＨＰＮＡ電話機４３は、通信端末装置である。
【００４９】
通信システム４１において、３つのＨＰＮＡ電話機４３ａ，４３ｂ，４３ｃは、ＨＰＮＡ回線４４を介して相互に通信可能に構成される。また、３つのＨＰＮＡ電話機４３ａ，４３ｂ，４３ｃは、ゲートウェイ装置４２を介して、ＰＳＴＮ４５に接続するとともに、ケーブルテレビ回線および光ファイバ回線などのＷＡＮ（Wide Area Network）回線４８に接続し、インターネットなどの通信網と通信可能に構成される。
【００５０】
ＰＳＴＮ４５およびＷＡＮ回線４８は、電話回線ケーブルによって実現され、ＨＰＮＡ回線４４は、電話回線ケーブルを用いたＬＡＮ回線によって実現される。また、ゲートウェイ装置４２は、ＰＳＴＮ４５を介して戸外の電話局４９（図２参照）の交換機に接続される。
【００５１】
ＰＳＴＮ４５を介して伝送されるアナログＣＩ信号４６は、図１に示すように、ゲートウェイ装置４２に入力する。ゲートウェイ装置４２に入力したアナログ信号４６は、ゲートウェイ装置４２によってプロトコル変換処理などが施され、ＨＰＮＡ−ＣＩ信号４７に変換される。ＨＰＮＡ−ＣＩ信号４７は、予め定めるＨＰＮＡ電話機４３に送信される。
【００５２】
図２は、ゲートウェイ装置４２の構成を簡略化して示すブロック図である。ゲートウェイ装置４２は、ＷＡＮ回線側インターフェース部５１、信号処理部５２、ＨＰＮＡ回線側インターフェース部５３およびアナログＣＩ検出部５４を含んで構成される。
【００５３】
ＷＡＮ回線側インターフェース部５１は、ＰＳＴＮ、ケーブルテレビ回線および光ファイバ回線などによって実現されるＷＡＮ回線４８との接続部である。信号処理部５２は、予め定める信号のみを通過させるフィルタリング処理などを行う。ＨＰＮＡ回線側インターフェース部５３は、ＨＰＮＡ回線４との接続部である。アナログＣＩ検出部５４は、電話回線ケーブルを介して電話局４９の交換機から送信されてきたアナログＣＩ信号４６を検出する着信信号検出手段である。
【００５４】
アナログＣＩ検出部５４によって検出されたアナログＣＩ信号４６は、信号処理部５２に入力する。信号処理部５２は、入力されたアナログＣＩ信号４６に対して、フィルタリング処理を施した後、ＨＰＮＡ回線側インターフェース部５３に送信する。
【００５５】
後述するようにＨＰＮＡ電話機４３がＨＰＮＡ−ＣＩ信号４７を検出するＨＰＮＡ−ＣＩ検出部８１を有し、かつアナログＣＩ信号４６を検出するアナログＣＩ検出部５４を有していないことを考慮して、ＨＰＮＡ回線側インターフェース部５３は、フィルタリング処理が施されたアナログＣＩ信号４６に対して、プロトコル変換を行い、アナログＣＩ信号４６からＨＰＮＡ−ＣＩ信号４７へ変換する信号変換手段である。ＨＰＮＡ−ＣＩ信号４７は、ＨＰＮＡ回線４４を介して、ゲートウェイ装置４２からＨＰＮＡ電話機４３に送信される。本実施形態において、信号処理部４２およびＨＰＮＡ回線側インターフェース部５３は、送信手段である。
【００５６】
ＨＰＮＡ電話機４３では、ＨＰＮＡ回線４４を介してゲートウェイ装置４２から送信されてきたＨＰＮＡ−ＣＩ信号４７を受信し、受信したＨＰＮＡ−ＣＩ信号４７を、後述するＨＰＮＡ−ＣＩ検出部８１によって検出する。そして、ＨＰＮＡ電話機４３は、検出したＨＰＮＡ−ＣＩ信号４７に基づいてＨＰＮＡ電話機４３の着信動作、たとえばスピーカから着信音を出力する。
【００５７】
図３は、アナログＣＩ検出部５４の構成を簡略化して示すブロック図である。アナログＣＩ検出部５４は、着信動作（略称：ＣＩ）信号入力部６１、フィルタ処理部６２、アナログ／デジタル（略称：Ａ／Ｄ）変換処理部６３およびアナログＣＩ検出処理部６４を含んで構成される。
【００５８】
ＣＩ信号入力部６１は、図３に示すように、コンデンサ６５、第１抵抗６６、第１ツェナーダイオード６７、第２ツェナーダイオード６８、第１ダイオード６９、第２ダイオード７０、トランジスタ７１および第２抵抗７３を含んで構成される。本実施形態において、第１および第２コンデンサ６９，７０は、発光ダイオードなどによって実現される発光素子であり、トランジスタ７１は、フォトトランジスタなどによって実現される受光素子である。本実施形態において、第１および第２コンデンサ６９，７０ならびにトランジスタ７１は、フォトインタラプタとして機能する。
【００５９】
コンデンサ６５、第１抵抗６６、第１ツェナーダイオード６７、第２ツェナーダイオード６８、第１ダイオード６９、第２ダイオード７０およびトランジスタ７１は、それぞれ直列に接続され、第１ダイオード６９および第２ダイオード７０は並列に接続されている。コンデンサ６５の一方の電極および第１ダイオード６９の陰極は、ＰＳＴＮ４５と接続されている。また、トランジスタ７１のコレクタに接続する入力端部７２には、直流電源が接続されている。ＰＳＴＮ４５を介して送信されてきたアナログＣＩ信号４６は、ＣＩ信号入力部６１に入力する。
【００６０】
ここで、アナログＣＩ信号４６とは、日本国の場合、ＰＳＴＮ４５上に、周波数が１６Ｈｚでかつ、音声信号波形の振幅の最大値から最小値までの値が約１９Ｖｐｐ（Volt
peak to peak）である信号が、２秒間隔で１秒間送出される信号であって、ＨＰＮＡ電話機４３に通話要求の着信があることを伝達するアナログ信号である。
【００６１】
ＰＳＴＮ４５を介して電話局４９（図２参照）から送信されてきたアナログＣＩ信号４６がＣＩ信号入力部６１に入力すると、コンデンサ６５および第１抵抗６６によって、ノイズなどに起因するアナログＣＩ信号４６の歪み成分が除去される。予め定める逆方向電圧に到達すると、第１ツェナーダイオード６７および第２ツェナーダイオード６８に電流が流れ、前記歪み成分が除去されたアナログＣＩ信号４６は、第１ダイオード６９または第２ダイオード７０に入力する。前記アナログＣＩ信号４６が第１ダイオード６９または第２ダイオード７０に入力すると、第１ダイオード６９または第２ダイオード７０は発光する。第１ダイオード６９または第２ダイオード７０が発光した光は、トランジスタ７１によって受光され、電気信号に変換される。変換された電気信号は、第２抵抗７３およびフィルタ処理部６２に送られる。
【００６２】
フィルタ処理部６２は、抵抗７４およびコンデンサ７５を含んで構成される。フィルタ処理部６２は、低域通過フィルタによって実現される。フィルタ処理部６２では、ＣＩ信号入力部６１から送られてきた信号のうち、回路の利得が小さくなり，応答しなくなる周波数、いわゆるカットオフ周波数以上の周波数の信号を減衰させ、カットオフ周波数以下の周波数の信号を取出す処理を行う。これによって、ＣＩ信号入力部６１から送られてきた、周波数が１６Ｈｚの信号を平滑化し、Ｈｉ（ハイ）レベルの出力状態が１秒でかつＬｏｗ（ロー）レベルの出力状態が２秒の矩形波に近い信号を作成する。このようにして作成した信号は、Ａ／Ｄ変換処理部６３に入力する。
【００６３】
Ａ／Ｄ変換処理部６３は、アナログデジタルコンバータによって実現される。Ａ／Ｄ変換処理部６３に入力された信号は、アナログ信号からデジタル信号に変換される。デジタル信号は、アナログＣＩ検出処理部６４に入力する。
【００６４】
アナログＣＩ検出処理部６４では、ハイレベルの出力状態が約１秒であり、ローレベルの状態が約２秒であることを測定することによって、入力されたデジタル信号が、アナログＣＩ信号４６であることを検出する。
【００６５】
アナログＣＩ検出処理部６４は、電話機識別テーブル記憶部、識別情報検出部、着信動作設定部、着信動作情報テーブル記憶部、電話番号検出部およびテーブル書換え部を含む。
【００６６】
電話機識別テーブル記憶部には、ＨＰＮＡ回線４４を介して接続する３つのＨＰＮＡ電話機４３ａ，４３ｂ，４３ｃと、これらを識別するための識別情報とを関連付けた電話機識別テーブルが記憶される。電話機識別テーブル記憶部は、装置識別テーブル記憶手段である。
【００６７】
識別情報検出部は、ＰＳＴＮ４５を介してアナログＣＩ信号４６とともに到来する予め定めるＨＰＮＡ電話機４３の識別情報を、電話機識別テーブル記憶部に記憶される電話機識別テーブルに基づいて検出する識別情報検出手段である。
【００６８】
着信動作設定部は、識別情報検出部によって検出された識別情報に基づいて、予め定める通信端末装置に着信動作を実行させるか否かを設定する着信動作設定手段である。
【００６９】
着信動作情報テーブル記憶部には、予め定める電話番号と、予め定める電話番号を含む着信信号の着信に応答して着信動作を行うＨＰＮＡ電話機４３とを関連付けた着信動作情報テーブルが記憶される。本実施形態において、着信動作情報テーブル記憶部は、着信動作情報テーブル記憶手段である。
【００７０】
電話番号検出部は、ＰＳＴＮ４５を介してアナログＣＩ信号４６とともに到来する発信先の電話番号を、前記着信動作情報テーブル記憶部に記憶される着信動作情報テーブルに基づいて検出する電話番号情報検出手段である。
【００７１】
テーブル書換え部では、着信動作情報テーブル内の予め定める電話番号と、予め定める電話番号を含む着信信号の着信時に着信動作を行うＨＰＮＡ電話機４３とを書換えることができる。着信動作情報テーブル記憶部に記憶される着信動作情報テーブルは、テーブル書換え部によって、前記電話番号およびこれに応答して着信動作を行うＨＰＮＡ電話機４３が書換えられる毎に、新しい情報に更新される。
【００７２】
図４は、ＨＰＮＡ電話機４３の構成を簡略化して示すブロック図である。ＨＰＮＡ電話機４３は、モジュラジャック８４を介して、ＨＰＮＡ回線４４に接続される。ＨＰＮＡ電話機４３は、ＨＰＮＡ−ＣＩ検出部８１、着信制御部８２および表示部８３を含んで構成される。
【００７３】
ＨＰＮＡ−ＣＩ検出部８１は、ＨＰＮＡ回線４４を介してゲートウェイ装置４２から送信されるＨＰＮＡ−ＣＩ信号４７を検出する信号検出手段である。ＨＰＮＡ−ＣＩ検出部８１によって検出された着信信号は、着信制御部８２へ送信される。
【００７４】
着信制御部８２は、後述するアクティブ状態および非アクティブ状態に応じた制御を実行する制御プログラムを記憶する記憶部と、制御プログラムを実行する処理回路とを含む。着信制御部８２は、ＨＰＮＡ−ＣＩ検出部８１から送信されてきたＨＰＮＡ−ＣＩ信号４７に基づいて、予め定める着信動作の実行が可能なアクティブ状態と、予め定める着信動作の実行が不可能な非アクティブ状態とに切換え可能な着信動作切換え部を含む。
【００７５】
本実施形態において、着信動作切換え部は、着信動作切換え手段である。ここで、ＨＰＮＡ−ＣＩ信号４７とは、ＨＰＮＡ回線４４上でパケット内に着信の有無を示す情報として伝送されるデジタル信号である。
【００７６】
ＨＰＮＡ電話機４３が、たとえばＨＰＮＡ回線４４上の所定のパケットにおける所定の信号ビットが「１」であるＨＰＮＡ−ＣＩ信号４７を受信したときは、着信があると認識し、前記所定の信号ビットが「０」であるＨＰＮＡ−ＣＩ信号４７を受信したときは、着信が無いと認識する。
【００７７】
着信動作切換え部は、記憶部に記憶されている制御プログラムを実行することによって、前記信号ビット「１」に基づいて着信動作が可能なアクティブ状態フラグ、本実施形態では「１」を設定して記憶部に記憶するとともに、前記信号ビット「０」に基づいて着信動作が不可能な非アクティブ状態フラグ、本実施形態では「０」を設定して記憶部に記憶する。そして、着信動作切換え部は、記憶部に記憶された状態フラグがアクティブ状態フラグおよび非アクティブ状態フラグのいずれであるかを判断する。
【００７８】
着信動作切換え部は、記憶部にアクティブ状態フラグが記憶されていると判断したとき、制御プログラムに基づいて、着信動作、たとえば鳴動動作を実行するアクティブ状態に切換える。これによって、鳴動動作を実行する。具体的には、スピーカから着信音を出力する。また着信動作切換え部は、記憶部に非アクティブ状態フラグが記憶されていると判断したとき、制御プログラムに基づいて、着信動作、たとえば鳴動動作を実行しないようにする非アクティブ状態に切換える。これによって、鳴動動作が実行しないようにする。具体的には、スピーカから着信音を出力しないようにする。
【００７９】
表示部８３は、姓名および電話番号などの文字情報ならびに着信動作切換え部によって切換えられた状態、本実施形態ではアクティブ状態および非アクティブ状態を示す情報を表示する。表示部８３に、アクティブ状態および非アクティブ状態を示す情報を表示することによって、ユーザは、ＨＰＮＡ電話機４３がアクティブ状態および非アクティブ状態のいずれの状態であるかを即座に認識することができる。表示部８３は、たとえば液晶ディスプレイによって実現される。
【００８０】
図５は、ＨＰＮＡ−ＣＩ検出部８１の構成を簡略的に示すブロック図である。ＨＰＮＡ−ＣＩ検出部８１は、アナログフロントエンド（略称：ＡＦＥ）部９１、信号処理部９２、ＨＰＮＡ−ＣＩ検出処理部９３および音声信号処理部９４を含んで構成される。
【００８１】
デジタル信号であるＨＰＮＡ−ＣＩ信号４７をＰＳＴＮ４５で伝送するために、５．５ＭＨｚ以上９．５ＭＨｚ未満の周波数帯域に変調したアナログ信号（以下、「ＨＰＮＡ変調信号」と表記する場合がある）が、ＡＦＥ部９１に入力する。
【００８２】
ＡＦＥ部９１では、入力されたアナログ信号に対して、アナログ／デジタル（略称：Ａ／Ｄ）変換処理を施し、アナログ信号をデジタル信号に変換する。変換されたデジタル信号は、信号処理部９２に送信される。信号処理部９２では、ＡＦＥ部９１から送信されるデジタル信号に対して、ＨＰＮＡのヘッダ、誤り訂正および暗号解析などの信号処理を施す。信号処理が施されたデジタル信号は、ＨＰＮＡ−ＣＩ検出処理部９３に送信される。ＨＰＮＡ−ＣＩ検出処理部９３では、信号処理部９２から送信されるデジタル信号に基づいて、ＨＰＮＡ−ＣＩ信号の検出処理を行う。
【００８３】
音声信号処理部９４は、フックスイッチ、マイクロフォンおよびレシーバを含んで構成される。音声信号処理部９４は、ＰＳＴＮ４５を介して到来する音声信号を受信し、音声信号をスピーカによって音響化させる処理と、音響をマイクロフォンで受けて電気信号に変換させる処理とを行う。これによって、通話が可能になる。
【００８４】
前述のように通信システム４１において、ＰＳＴＮ４５を介して電話局４９から到来するアナログＣＩ信号４６がゲートウェイ装置４２に入力すると、ゲートウェイ装置４２ではアナログＣＩ信号４６を受信し、受信したアナログＣＩ信号４６を、アナログＣＩ検出部５４によって検出する。検出されたアナログＣＩ信号４６は、信号処理部４３およびＨＰＮＡ回線側インターフェース部５３によって、ＨＰＮＡ−ＣＩ信号４７に変換されて、ＨＰＮＡ回線４４を介してＨＰＮＡ電話機４３に送信される。
【００８５】
ゲートウェイ装置４２において、アナログＣＩ検出処理部６４の電話機識別テーブル記憶部に、電話機識別テーブルが記憶されている場合は、ＨＰＮＡ−ＣＩ信号４７をＨＰＮＡ電話機４３に送信する前に、アナログＣＩ検出処理部６４の識別情報検出部において、ＰＳＴＮ４５を介してアナログＣＩ信号４６とともに送信されてくる予め定めるＨＰＮＡ電話機４３の識別情報を、電話機識別テーブル記憶部に記憶される電話機識別テーブルに基づいて検出する。
【００８６】
ここで、識別情報検出部によって検出された識別情報に基づいて、ユーザがアナログＣＩ検出処理部６４の着信動作設定部で、第１ＨＰＮＡ電話機４３ａがアナログＣＩ信号４６に起因する着信動作を実行するように設定し、かつ第２および第３ＨＰＮＡ電話機４３ｂ，４３ｃはアナログＣＩ信号４６に起因する着信動作を実行しないように設定した場合を想定する。
【００８７】
前述のように想定した場合、ＰＳＴＮ４５を介して電話局４９から到来したアナログＣＩ信号４６を受信したゲートウェイ装置４２は、第１ＨＰＮＡ電話機４３ａに対して、ＨＰＮＡ回線４４を介して着信動作を実行させるためのＨＰＮＡ−ＣＩ信号４７を送信し、第２および第３ＨＰＮＡ電話機４３ｂ，４３ｃに対しては、ＨＰＮＡ−ＣＩ信号４７を送信しない。
【００８８】
第１ＨＰＮＡ電話機４３ａでは、ゲートウェイ装置４２から送信されてきたＨＰＮＡ−ＣＩ信号４７を受信し、受信したＨＰＮＡ−ＣＩ信号４７をＨＰＮＡ−ＣＩ検出部８１で検出する。第１ＨＰＮＡ電話機４３ａは、検出されたＨＰＮＡ−ＣＩ信号４７に基づいて、前述のように着信動作切換え部によって、着信動作、たとえば鳴動動作の実行が可能なアクティブ状態に切換える。これによって、第１ＨＰＮＡ電話機４３ａは、鳴動動作、具体的にはスピーカから着信音を出力する。
【００８９】
また、ゲートウェイ装置４２において、アナログＣＩ検出処理部６４の着信動作情報テーブル記憶部に着信動作情報テーブルが記憶されている場合は、まず、電話番号検出部によって、ＰＳＴＮ４５を介してアナログＣＩ信号４６とともに到来する発信先の電話番号を、前記着信動作情報テーブルに基づいて検出する。
【００９０】
次に、着信動作情報テーブルに基づいて、電話番号検出部によって検出された電話番号に応答して着信動作を行うＨＰＮＡ電話機４３に、ＨＰＮＡ回線４４を介して着信信号を送信する。ゲートウェイ装置４２からＨＰＮＡ回線４４を介して送信された着信信号は、前記検出された電話番号に応答して着信動作を行うＨＰＮＡ電話機４３が受信する。前記着信信号を受信したＨＰＮＡ電話機４３は、受信した着信信号をＨＰＮＡ−ＣＩ検出部８１で検出した後、検出した着信信号に基づいて予め定める着信動作、たとえばスピーカから着信音を出力する。
【００９１】
また、ユーザは、たとえば電話番号「Ａ」が割当てられた電話機から通話要求の着信があったときに、第１ＨＰＮＡ電話機４３ａが着信動作を実行するように、着信動作テーブル内の予め定める電話番号と、予め定める電話番号を含む着信信号の着信に応答して着信動作を行うＨＰＮＡ電話機４３とを表わす情報（以下、「着信動作テーブル情報」と表記する場合がある）を、ゲートウェイ装置４２のテーブル書換え部で書換えることができる。
【００９２】
前述と同様に、ユーザは、電話番号「Ｂ」が割当てられた電話機から通話要求の着信があったときに、第２ＨＰＮＡ電話機４３ｂが着信動作を実行するように、そして電話番号「Ａ」および電話番号「Ｂ」以外の電話番号が割当てられた電話機から通話要求の着信があったときに、第３ＨＰＮＡ電話機４３ｃが着信動作を実行するように、着信動作テーブル情報を、ゲートウェイ装置４２のテーブル書換え部で書換えることができる。
【００９３】
さらに、電話番号「Ｃ」が割当てられた電話機から通話要求の着信があったときに、いずれのＨＰＮＡ電話機４３にも着信動作を実行させないように、ゲートウェイ装置４２のテーブル書換え部で書換えることもできる。
【００９４】
前述のように本実施形態によれば、ＰＳＴＮ４５を介して到来するアナログＣＩ信号４６は、ゲートウェイ装置４２が検出し、検出したアナログＣＩ信号はＨＰＮＡ−ＣＩ信号４７に変換した後、ＨＰＮＡ回線４４を介して予め定めるＨＰＮＡ電話機４３に送信する。ＨＰＮＡ回線４４を介して送信されたＨＰＮＡ−ＣＩ信号４７を受信したＨＰＮＡ電話機４３が、受信したＨＰＮＡ−ＣＩ信号４７を検出した後、着信動作切換え部が、検出されたＨＰＮＡ−ＣＩ信号４７に基づいて予め定める着信動作の実行が可能なアクティブ状態に切換えたときは、着信動作を実行する。着信動作切換え部が、検出されたＨＰＮＡ−ＣＩ信号４７に基づいて予め定める着信動作の実行が不可能な非アクティブ状態に切換えたときは、着信動作を実行しないようにする。
【００９５】
このように、ゲートウェイ装置４２が、予め定めるＨＰＮＡ電話機４３に着信動作を実行させることができるので、従来技術のように、発信者および受信者の識別が困難になり、混乱を招くことを防ぐことができ、利便性が向上する。また、ＰＡＴＮ４５を介して到来するアナログＣＩ信号４６を検出するアナログＣＩ検出部５４をゲートウェイ装置４２に備えることによって、従来技術のようにゲートウェイ装置４２に接続する複数のＨＰＮＡ電話機４３に前記アナログＣＩ検出部５４を備える場合よりも、比較的低コストで通信システム４１を構築することができる。
【００９６】
また本実施形態によれば、ＰＡＴＮ４５を介してアナログＣＩ信号４６とともに到来する予め定めるＨＰＮＡ電話機４３の識別情報を、前記電話機識別テーブル記憶手段に記憶される電話機識別テーブルに基づいて検出し、検出された識別情報に基づいて予め定めるＨＰＮＡ電話機４３にＨＰＮＡ−ＣＩ信号４７を送信する。したがって、ゲートウェイ装置４２は、予め定める必要最小限のＨＰＮＡ電話機４３のみに、着信動作を容易に実行させることができるので、従来技術のように、発信者および受信者の識別が困難になり、混乱を招くことを防ぐことができ、利便性が向上する。
【００９７】
また本実施形態によれば、ゲートウェイ装置４２の着信動作設定部は、識別情報検出部によって検出された識別情報に基づいて、予め定めるＨＰＮＡ電話機４３に着信動作を実行させるか否かを設定することができる。したがって、ゲートウェイ装置４２は、予め定める必要最小限のＨＰＮＡ電話機４３のみに、着信動作を容易に実行させることができ、従来技術のように、発信者および受信者の識別が困難になり、混乱を招くことを防ぐことができる。これによって、利便性が向上する。
【００９８】
また本実施形態によれば、ゲートウェイ装置４２の着信動作設定部を用いて、ＨＰＮＡ回線４４を介して接続するすべてのＨＰＮＡ電話機４３、本実施形態では３つのＨＰＮＡ電話機４３ａ，４３ｂ，４３ｃが着信動作を実行するように設定する。このように設定することによって、ＨＰＮＡ回線４４を介して３つのＨＰＮＡ電話機４３ａ，４３ｂ，４３ｃを設置したとき、利用者は３つのＨＰＮＡ電話機４３ａ，４３ｂ，４３ｃのうちいずれのＨＰＮＡ電話機４３でも、相手先からの通話要求の着信信号を受信することができる。これによって、たとえば早急に相手先からの通話要求の着信信号を受信する必要がある場合でも、利用者がいる場所から最も近い場所に設置されているＨＰＮＡ電話機４３で、相手先からの通話要求の着信信号を即座に受信することができる。
【００９９】
また本実施形態によれば、予め定める電話番号情報が割当てられた電話機から通話要求の着信信号が送信されてきた場合、ゲートウェイ装置４２は、着信動作情報テーブルを参照して、前記電話番号情報に対応するＨＰＮＡ電話機４３に対してＨＰＮＡ−ＣＩ信号４７を送信し、送信先のＨＰＮＡ電話機４３に、容易に着信動作を実行させることができる。したがって、従来技術のように、発信者および受信者の識別が困難になり、混乱を招くことを防ぐことができ、利便性が向上する。
【０１００】
また本実施形態によれば、ユーザは、着信動作情報テーブル記憶部に記憶される前記着信動作情報テーブルを書換えることができる。したがって、予め定める電話番号情報を含む着信信号の着信に応答して着信動作を行うＨＰＮＡ電話機４３を変更する場合でも、ユーザが着信動作情報テーブル記憶部に記憶される前記着信動作情報テーブルを書換えるだけで、容易に前記着信動作を行うＨＰＮＡ電話機４３を変更することができる。これによって、利便性が向上する。
【０１０１】
また本実施形態によれば、第１の通信回線網としてＰＳＴＮ４５が用いられる。ＰＳＴＮ４５は、すでに広く普及しており、用いるにあたって特別の工事を必要としないので、通信システム４１におけるコストの増大を防ぐことができる。また、第２の通信回線網としてＨＰＮＡを用いて構築されるＬＡＮ回線４４が用いられる。ＨＰＮＡを用いて構築されるＬＡＮ回線４４は、建物内に配設された既存のＰＳＴＮ４５を用いて低コストでローカルエリアネットワークを構築することができるので、通信システム４１におけるコストを抑えることができる。
【０１０２】
本実施形態では、ＨＰＮＡ回線４４を介して複数のＨＰＮＡ電話機４３が接続される通信システム４１の構成について述べたが、本発明の他の実施形態では、緊急受信用または常に着信動作を許すことを前提として、特別な機能を有していない一般的に用いられる電話機またはアナログＣＩ検出部およびＨＰＮＡ−ＣＩ検出部を含むＨＰＮＡ電話機をＨＰＮＡ回線４４に接続した通信システムに対しても、前述の実施形態と同様の効果を得ることができ、好適に実施することができる。
【０１０３】
図６は、本発明の実施の他の形態である通信システム１０１の構成を示すブロック図である。図６に示す破線は、ＬＡＮ（Local Area Network）回線１０３を介して到来するＬＡＮ着信動作（略称：ＬＡＮ−ＣＩ）信号１０４を示している。通信システム１０１は、前述の通信システム４１と類似しているので、同様の構成要素については同一の参照符を付して、詳細な説明を省略する。
【０１０４】
通信システム１０１は、１つのゲートウェイ装置４２と、複数の、本実施形態では３つの、ＬＡＮ−ＣＩ信号１０４を検出するＬＡＮ−ＣＩ検出部を有する電話機１０２ａ，１０２ｂ，１０２ｃとを含んで構成される。以下、不特定の電話機を示す場合、「電話機１０２」のように、参照符号において添え字「ａ」、「ｂ」および「ｃ」を省略することがある。
【０１０５】
通信システム１０１において、３つの電話機１０２ａ，１０２ｂ，１０２ｃは、ＬＡＮ回線１０３を介して相互に通信可能に構成される。また、ゲートウェイ装置４２および３つの電話機１０２ａ，１０２ｂ，１０２ｃは、ＰＳＴＮ４５に接続する。さらに、ゲートウェイ装置４２は、ケーブルテレビ回線および光ファイバ回線などのＷＡＮ（Wide Area Network）回線４８に接続し、インターネットなどの通信網と通信可能に構成されるとともに、３つの電話機１０２ａ，１０２ｂ，１０２ｃもＬＡＮ回線１０３を介して、ＷＡＮ回線４８に接続し、インターネットなどの通信網と通信可能に構成される。
【０１０６】
ゲートウェイ装置４２において、アナログＣＩ検出処理部６４の電話機識別テーブル記憶部に、電話機識別テーブルが記憶されている場合は、アナログＣＩ検出処理部６４の識別情報検出部において、ＰＳＴＮ４５を介してアナログＣＩ信号４６とともに送信されてくる予め定める電話機１０２の識別情報を、電話機識別テーブル記憶部に記憶される電話機識別テーブルに基づいて検出する。
【０１０７】
ここで、識別情報検出部によって検出された識別情報に基づいて、ユーザがアナログＣＩ検出処理部６４の着信動作設定部で、電話機１０２ａがアナログＣＩ信号４６に起因する着信動作を実行するように設定し、かつ電話機１０２ｂ，１０２ｃはアナログＣＩ信号４６に起因する着信動作を実行しないように設定した場合を想定する。
【０１０８】
この場合、ＰＳＴＮ４５を介して電話局４９から到来したアナログＣＩ信号４６を受信したゲートウェイ装置４２は、電話機１０２ａに対して、ＬＡＮ回線１０３を介して着信動作を実行させるためのＬＡＮ−ＣＩ信号１０４を送信し、電話機１０２ｂ，１０２ｃに対してＬＡＮ−ＣＩ信号１０４を送信しないようにする。
【０１０９】
電話機１０２ａでは、ゲートウェイ装置４２から送信されてきたＬＡＮ−ＣＩ信号１０４を受信し、受信したＬＡＮ−ＣＩ信号１０４をＬＡＮ−ＣＩ検出部で検出する。電話機１０２ａの着信動作切換え部は、検出されたＬＡＮ−ＣＩ信号１０４に基づいて、着信動作、たとえば鳴動動作の実行が可能なアクティブ状態に切換える。これによって、電話機１０２ａは、鳴動動作を実行する。具体的には、電話機１０２ａは、スピーカから着信音を出力する。
【０１１０】
また、ゲートウェイ装置４２において、アナログＣＩ検出処理部６４の着信動作情報テーブル記憶部に着信動作情報テーブルが記憶されている場合は、まず、電話番号検出部によって、ＰＳＴＮ４５を介してアナログＣＩ信号４６とともに到来する発信先の電話番号を、前記着信動作情報テーブルに基づいて検出する。
【０１１１】
次に、着信動作情報テーブルに基づいて、電話番号検出部によって検出された電話番号に応答して着信動作を行う電話機１０４に、ＬＡＮ回線１０３を介して着信信号を送信する。ゲートウェイ装置４２からＬＡＮ回線１０４を介して送信された着信信号は、前記検出された電話番号に応答して着信動作を行う電話機１０２が受信する。前記着信信号を受信した電話機１０２は、受信した着信信号をＬＡＮ−ＣＩ検出部で検出した後、検出した着信信号に基づいて予め定める着信動作、たとえば鳴動動作を行う。具体的には、スピーカから着信音を出力する。
【０１１２】
３つの電話機１０２ａ，１０２ｂ，１０２ｃは、ＬＡＮ回線１０３を介して、ＷＡＮ回線４８に接続し、インターネットなどの通信網と通信可能に構成されているので、インターネットなどの通信網からＬＡＮ回線１０３を介して送信されてくる画像データ、文字データおよび音声データなどの各種データを受信することができる。前記音声データは、デジタル音声サービスプロトコルであるＶｏＩＰ（Voice over Internet Protocol）に従って伝送される音声データを含む。
【０１１３】
前述の通信システム１０１の場合も、前述の実施形態の通信システム４１と同様の効果を得ることができ、好適に実施することができる。
【０１１４】
前述の実施形態は、本発明の例示に過ぎず、本発明の範囲内において構成を変更することができる。たとえば、前述の実施形態では、通信端末装置として、ＨＰＮＡ電話機４３およびＬＡＮ回線１０３に接続する電話機１０２を適用した場合の通信システム４１，１０１の構成について説明したが、ＨＰＮＡ電話機４３およびＬＡＮ回線１０３に接続する電話機１０２に限らず、本発明の他の実施形態では、通信端末装置としてファクシミリ装置を適用した場合でも好適に実施することができる。
【図面の簡単な説明】
【０１１５】
【図１】本発明の実施の一形態である通信システム４１の構成を簡略化して示す図である。
【図２】ゲートウェイ装置４２の構成を簡略化して示すブロック図である。
【図３】アナログＣＩ検出部５４の構成を簡略化して示すブロック図である。
【図４】ＨＰＮＡ電話機４３の構成を簡略化して示すブロック図である。
【図５】ＨＰＮＡ−ＣＩ検出部８１の構成を簡略的に示すブロック図である。
【図６】本発明の他の実施形態である通信システム１０１の構成を簡略化して示す図である。
【図７】従来技術の通信システム１の構成を簡略化して示す図である。
【図８】アナログ音声信号７、ＡＤＳＬ信号８およびＨＰＮＡ信号９の周波数帯域を示すグラフである。
【図９】通信システム１におけるゲートウェイ装置２の構成を簡略化して示すブロック図である。
【図１０】通信システム１におけるＨＰＮＡ電話機３のＣＩ検出の構成を簡略化して示すブロック図である。
【図１１】ＨＰＮＡ−ＣＩ検出部１４の構成を簡略的に示すブロック図である。
【図１２】アナログＣＩ検出部１５の構成を簡略化して示すブロック図である。
【符号の説明】
【０１１６】
４１  通信システム
４２  ゲートウェイ装置
４３  ＨＰＮＡ（Home Phoneline Networking Alliance）電話機
４３ａ  第１ＨＰＮＡ電話機
４３ｂ  第２ＨＰＮＡ電話機
４３ｃ  第３ＨＰＮＡ電話機
４４  ＨＰＮＡ回線
４５  ＰＳＴＮ（Public Switched Telephone Network）
４６  アナログ着信動作信号
４７  ＨＰＮＡ着信動作信号
４８  ＷＡＮ（Wide Area Network）回線
【図１】
2005175696.tif 000003
【図２】
2005175696.tif 000004
【図３】
2005175696.tif 000005
【図４】
2005175696.tif 000006
【図５】
2005175696.tif 000007
【図６】
2005175696.tif 000008
【図７】
2005175696.tif 000009
【図８】
2005175696.tif 000010
【図９】
2005175696.tif 000011
【図１０】
2005175696.tif 000012
【図１１】
2005175696.tif 000013
【図１２】
2005175696.tif 000014